(57)【要約】【課題】屋外構造物が有する開閉可能な障子の内側に網材を備えつつも障子が開閉操作し易い屋外構造物を提供する。【解決手段】互いに隣接するとともに交差するように配置された２つの窓ユニット、及び、２つの窓ユニットとそれぞれ並設される２つの網材ユニット、を有し、一方の前記窓ユニットが有する障子と、並設された一方の前記網材ユニットが有する網材とは、いずれも閉じた状態で、開閉操作するための開閉操作部が、窓枠が接合されている側に配置されるとともに、開閉操作部を移動させて開放され、一方の並設枠に設けられた網材を開いたときに、窓枠が備える障子の開閉操作部が屋内側に露出される。【選択図】図５
2015078570.tif 000002
【特許請求の範囲】
【請求項１】
建物の外壁と隣接して設置され前記外壁とともに屋外と区画された空間を形成する屋外構造物であって、
屋外との境界に配置され互いに交差する方向に配置されて接合された２つの窓枠と、各々の前記窓枠が形成する窓開口を開閉自在に設けられた障子と、を有する２つの窓ユニット、及び、
区画された前記空間の屋内側にて前記２つの窓ユニットにそれぞれ並べて取り付けられる並設枠と、前記並設枠が形成し前記窓開口とともに屋内外を連通する枠開口を開閉自在に設けられた網材と、を有する２つの網材ユニット、
を有し、
前記２つの窓ユニットのうちの一方の前記窓ユニットが有する前記障子は、閉じた状態で当該障子を開閉操作するための開閉操作部が、前記窓枠が接合されている側に配置され、前記開閉操作部を前記接合されている側から離れる方向に移動されて前記窓開口が開放され、
一方の前記並設枠は、前記接合されている側の端部が、他方の前記並設枠と当該一方の並設枠に取り付けられた前記窓枠との間に配置され、前記一方の並設枠に設けられた前記網材を開いたときに、前記開閉操作部が屋内側に露出されることを特徴とする屋外構造物。
【請求項２】
請求項１に記載の屋外構造物であって、
前記障子は、閉じるときに屋外側に突出しつつ折り重なる折戸をなしていることを特徴とする屋外構造物。
【発明の詳細な説明】
【技術分野】
【０００１】
本発明は、建物の外壁と隣接して設置され前記外壁とともに屋外と区画される空間を形成する屋外構造物に関する。
【背景技術】
【０００２】
屋外構造物としては、建物の外壁に接する屋根部と前面壁部及び側面壁部を有し、前面壁部及び側面壁部の下部を基盤に取付けるようにして設置され、前面壁部と側面壁部とがガラス板、樹脂板などで形成された、例えばサンルームなどの屋外構造物が知られている（例えば、特許文献１参照）。
【先行技術文献】
【特許文献】
【０００３】
【特許文献１】特許第５０１５０８４号公報
【発明の概要】
【発明が解決しようとする課題】
【０００４】
上記のような屋外構造物の中には、前面壁部及び側面壁部が開閉可能に形成されており、前面壁部及び側面壁部に開閉操作を行うための開閉操作部が設けられているものがある。また、前面壁部及び側面壁部が開閉可能であるため、前面壁部及び側面壁部を開けた際に形成される開口を覆う網材を前面壁部及び側面壁部の内側に開閉可能に設けることが望まれている。このような網材が、前面壁部及び側面壁部の各々の内側に開閉可能な網材が設けられている場合には、網材側の枠体と、前面壁部及び側面壁部の開閉操作部とが重なってしまい、操作性が悪くなるという課題がある。
【０００５】
本発明は、かかる課題に鑑みてなされたものであり、その目的とするところは、屋外構造物が有する開閉可能な障子の内側に網材を備えつつも障子が開閉操作し易い屋外構造物を提供することにある。
【課題を解決するための手段】
【０００６】
かかる目的を達成するために本発明は、建物の外壁と隣接して設置され前記外壁とともに屋外と区画される空間を形成する屋外構造物であって、屋外との境界に配置され互いに交差する方向に配置されて接合された２つの窓枠と、各々の前記窓枠が形成する窓開口を開閉自在に設けられた障子と、を有する２つの窓ユニット、及び、区画された前記空間の屋内側にて前記２つの窓ユニットにそれぞれ並べて取り付けられる並設枠と、前記並設枠が形成し前記窓開口とともに屋内外を連通する枠開口を開閉自在に設けられた網材と、を有する２つの網材ユニット、を有し、前記２つの窓ユニットのうちの一方の前記窓ユニットが有する前記障子は、閉じた状態で当該障子を開閉操作するための開閉操作部が、前記窓枠が接合されている側に配置され、前記開閉操作部を前記接合されている側から離れる方向に移動されて前記窓開口が開放され、一方の前記並設枠は、前記接合されている側の端部が、他方の前記並設枠と当該一方の並設枠に取り付けられた前記窓枠との間に配置され、前記一方の並設枠に設けられた前記網材を開いたときに、前記開閉操作部が屋内側に露出されることを特徴とする屋外構造物である。
【０００７】
このような屋外構造物によれば、一方の並設枠の接合されている側の端部は、他方の並設枠と一方の並設枠に取り付けたれた窓枠との間に配置されるので、一方の並設枠は、他方の並設枠が取り付けられている窓枠との間に他方の並設枠が介在されない。このため、一方の並設枠は、より他方の並設枠が取り付けられている窓枠側に配置され、一方の並設枠が取り付けられている窓枠との重なる部分をより小さくすることが可能である。また、一方の並設枠に設けられた網材を開いたときに、窓枠が備える障子の開閉操作部が屋内側に露出されるので、窓枠が備える障子の開閉操作部を容易に操作することが可能である。すなわち、屋外構造物の内側に網材を備えつつも開閉操作し易い屋外構造物を提供することが可能である。
かかる屋外構造物であって、前記障子は、閉じるときに屋外側に突出しつつ折り重なる折戸をなしていることが望ましい。
このような屋外構造物によれば、開閉操作により障子は閉じるときに屋外側に突出しつつ折り重なるので、障子を開く際に障子が網材側に突出しない。このため、網材は開閉操作の邪魔にならないので、滑らかに開閉操作することが可能である。
【発明の効果】
【０００８】
本発明によれば、屋外構造物が有する開閉可能な障子の内側に網材を備えつつも障子が開閉操作し易い屋外構造物を提供することが可能である。
【図面の簡単な説明】
【０００９】
【図１】本実施形態の一例であるサンルームを正面から見た外観図である。
【図２】本実施形態の一例であるサンルームを側面から見た外観図である。
【図３】サンルームの屋根材を外した状態を示す平面図である。
【図４】折戸及び網材を示す横断面図である。
【図５】正面の折戸ユニット及び網材ユニットと側面の折戸ユニット及び網材ユニットとの接合部を示す横断面図である。
【図６】正面の折戸ユニット及び網材ユニット並びに側面の折戸ユニット及び網材ユニットを示す縦断面図である。
【図７】図５におけるＡ部の拡大図である。
【発明を実施するための形態】
【００１０】
以下、本発明の一実施形態に係る屋外構造物について図面を参照して説明する。
本実施形態においては、本発明にかかる屋外構造物として、屋根や壁面がガラスや樹脂板で形成されたサンルーム１を例に挙げて説明する。本実施形態のサンルーム１は、図１〜図３に示すように、建物の外壁２と隣接して設置され外壁２から屋外側に向かって張り出して設けられており、サンルーム１内は長方形状の床３が設けられ屋内の例えば居室と繋がっている。
【００１１】
以下の説明では、サンルーム１を、当該サンルーム１が張り出している外壁２に向かって見たときに、上下となる方向を上下方向、左右となる壁面に沿う方向を左右方向または壁面方向、屋内外となる方向を奥行き方向として示す。尚、サンルーム１を構成する各部材は、単体として説明する場合であっても、サンルーム１と同様に上下方向、左右方向、奥行き方向等となる方向にて方向を特定して説明する。また、長方形状をなす床材の長辺側をサンルーム１の正面と称し、短辺側を側面と称する。
【００１２】
本実施形態のサンルーム１は、外壁２とともに屋外と区画された空間Ｓを形成し、開閉可能な障子５を備えるサンルーム本体１０と、サンルーム本体１０の内側に設けられ障子５が開かれて形成される窓開口２９ａを開放可能に覆う網５７を備える網材ユニット５０、５４と、を備えている。
【００１３】
サンルーム本体１０は、サンルーム１の骨組みをなし開閉可能な窓開口２９ａを形成するフレーム１１と、サンルーム１の床をなす床材９と、床材９の上方を覆う屋根材２０と、フレーム１１にて形成された開口に設けられ折戸７、８を有する窓ユニットとしての折戸ユニット２４、２５と、サンルーム１において屋根材２０及び折戸ユニット２４、２５が設けられない部位に嵌め込まれる樹脂製（例えば、ポリカーボネート）の板材４１と、を有している。
【００１４】
フレーム１１は、建物の外壁２から屋外側に間隔を隔てて設けられる２本の柱１２と、２本の柱１２の上端部間に掛け渡される正面上横材１３と、奥行き方向において各柱１２と各々対向して外壁２に固定された２本の外壁縦材１４と、居室の床面とほぼ同じ高さにて２本の柱１２間に掛け渡される正面下横材１５と、居室の床面とほぼ同じ高さにて壁面方向において対向し柱１２と外壁縦材１４とに掛け渡される側面下横材１６と、正面上横材１３とほぼ同じ高さにて、対向している柱１２と外壁縦材１４とに掛け渡される側面上横材１７と、外壁２に壁面方向に間隔を隔てて外壁に設けられた外壁縦材１４の下端部間に掛け渡される外壁横材(不図示)と、正面下横材１５の壁面方向における中央にて正面下横材１５を支持する束材１９と、を有している。柱１２は、水平断面が正方形状をなす角パイプ状の部材である。
【００１５】
床材９は、正面下横材１５と左右２本の側面下横材１６、及び、外壁横材に囲まれる領域に設けられた大引や根太上に設けられる長方形状をなす板状の部材である。
【００１６】
屋根材２０は、正面上横材１３と外壁２との間に、外壁２から張り出す方向に向かって高さが低くなる傾斜をなしている。屋根材２０は、床材９の上方を覆う樹脂板２１と、樹脂板２１の周縁を全周に亘って収容する屋根枠材２２と、屋根枠材２２間に掛け渡されて樹脂板２１を支持する支持枠２３と、を有している。屋根材２０の外壁２側の屋根枠材２２は、外壁２に接合されるとともにシールされており、外壁２側の屋根枠材２２の壁面方向における両端部は、側面上横材１７より上方に延出されている外壁縦材１４の上縁に接合されている。
【００１７】
サンルーム１の正面にて、フレーム１１の２本の柱１２と正面上横材１３及び正面下横材１５にて囲まれた領域、及び、側面にて、柱１２、外壁縦材１４、側面下横材１６および側面上横材１７にて囲まれた領域には、それぞれ折戸ユニット２４、２５が設けられている。ここで、サンルーム１の正面に設けられた折戸ユニット２４及び側面に設けられた折戸ユニット２５は、各々屋外との境界に配置され、互いに隣接するとともに交差するように配置されている。
【００１８】
サンルーム１には、正面に２枚の障子５が、図４に示すように、ヒンジ５ａにより折り畳み自在に接合された２枚折戸７と、４枚の障子５が隣り合う障子同士がヒンジ５ａにより折り畳み自在に接合された４枚折戸８と、を有し、側面に２枚折戸７がそれぞれ設けられている。
【００１９】
正面に設けられる折戸ユニット２４は、２枚折戸７と、４枚折戸８と、正面上枠２６、正面下枠２７および正面縦枠２８が矩形状に枠組みされて正面の窓開口２９ａを形成する窓枠としての正面枠材２９とを有している。ここで、正面の折戸ユニット２４及び側面の折戸ユニット２５の縦断面は同じなので、折戸ユニット２４、２５の縦断面を図６に示し、図６においては、折戸ユニット２４、２５の符号を並記する。
【００２０】
２枚折戸７と４枚折戸８とに用いられる各障子５は、板ガラス５ｂの周端部が矩形状に形成された框５ｃに収容されて形成されている。ヒンジ５ａによって連結された２枚折戸７及び４枚折戸８の、最も戸先側に位置する障子５の戸先框５ｄには、２枚折戸７及び４枚折戸８を開閉操作するための開閉操作部５ｅが、２枚折戸７及び４枚折戸８を閉じた状態でサンルーム１の内側(以下、屋内側という)に配置されるように設けられている。
【００２１】
正面上枠２６は正面上横材１３の下面に固定され、正面下枠２７は正面下横材１５の上面に固定され、正面縦枠２８は、左右の柱１２の互いに対向する面にそれぞれ固定されている。
【００２２】
側面に設けられる折戸ユニット２５は、２枚折戸７と、側面上枠３０、側面下枠３１および側面縦枠３２が矩形状に枠組みされて側面の窓開口３３ａを形成する窓枠としての側面枠材３３と、を有している。側面上枠３０は側面上横材１７の下面に固定され、側面下枠３１は側面下横材１６の上面に固定され、２本の側面縦枠３２は柱１２または外壁縦材１４の互いに対向する面に固定されている。
【００２３】
すなわち、互いに隣接するとともに交差するように配置された正面の折戸ユニット２４が有する正面枠材２９と側面の折戸ユニット２５が有する側面枠材３３とは、柱１２を介してほぼ直角に接合されている。
【００２４】
図６に示すように、正面上枠２６には、２枚折戸７、４枚折戸８が備える各障子５の上端に設けられた上係合部７ａ、８ａが案内されるガイド溝２６ａが設けられ、側面上枠３０には、２枚折戸７が備える各障子５の上端に設けられた上係合部７ａが案内されるガイド溝３０ａが設けられている。正面下枠２７には、各障子５の下端に設けられた下係合部７ｂ、８ｂが案内されるレール２７ａが設けられ、側面下枠３１には、各障子５の下端に設けられた下係合部７ｂが案内されるレール３１ａが設けられている。
【００２５】
正面枠材２９が備える正面縦枠２８及び側面枠材３３が備える側面縦枠３２は、いずれも押出成形部材であり、左右の正面縦枠２８及び左右の側面縦枠３２は同一の部材を、左右を反転させて用いられている。
【００２６】
図５、図７に示すように、正面縦枠２８は、上下方向に連通する中空部をなし断面が長方形状の縦枠本体２８ａと、縦枠本体２８ａの長方形の長辺となる面を形成する２つの部位のうち柱１２側の柱側壁部２８ｂが屋内側に向かって延出された延出部２８ｃと、柱側壁部２８ｂから突出されて柱１２に当接される突起２８ｄと、延出部２８ｃの屋内側の縁から２本の柱１２間の中央側に向かって延出され屋内に臨む面をなす内向延出部２８ｅと、縦枠本体２８ａの柱側壁部２８ｂと対向する中央側壁部２８ｆの屋外側に障子５に当接されるエアタイト材４２が取り付けられるエアタイト材取付部２８ｇと、を有している。
【００２７】
内向延出部２８ｅは、縦枠本体２８ａの長方形の短辺側の幅と同じ第１内向壁部２８ｈと、第１内向壁部２８ｈより屋外側にて第１内向壁部２８ｈとほぼ平行をなす第２内向壁部２８ｉと、第２内向壁部２８ｉの屋外側に障子５に当接されるエアタイト材４３が取り付けられるエアタイト材取付部２８ｊとが設けられている。
【００２８】
柱１２に固定された正面縦枠２８の中央側壁部２８ｆに、２枚折戸７及び４枚折戸８に設けられた最も戸尻側の戸尻框５ｆに設けられたヒンジ５ａが固定される。この正面縦枠２８は、側面枠材３３の側面縦枠３２としても用いられ、側面枠材３３では、柱１２と外壁縦材１４とにそれぞれ固定され、外壁縦材１４に固定された側面縦枠３２の中央側壁部３２ｆに、２枚折戸７に設けられた最も戸尻側の戸尻框５ｆに設けられたヒンジ５ａが固定される。以下の説明において、側面縦枠３２の正面縦枠２８と対応する部位を示す際には、側面縦枠３２を示す番号「３２」に正面縦枠２８と同じアルファベットを付しして示す。
【００２９】
正面に設けられた２つの折戸７、８は、２枚折戸７が向かって左側の柱１２に戸尻側の障子５が固定され、４枚折戸８が向かって右側の柱１２に戸尻側の障子が固定されている。そして、２つの折戸７、８を閉じた際には、２枚折戸７の戸先框５ｄと４枚折戸８の戸先框５ｄとが近接又は当接して対向するように構成されている。
【００３０】
側面にそれぞれ設けられた２枚折戸７は、建物の外壁２側に戸尻側の障子５が固定され、２枚折戸７を閉じた際には、２枚折戸７の戸先框５ｄが柱１２に固定された側面縦枠３２に当接されるように構成されている。
【００３１】
２枚折戸７および４枚折戸８は、各々戸先側の障子５の戸先框５ｄに設けられた開閉操作部５ｅを、戸尻框５ｆが固定されている障子５側に移動することにより、上係合部７ａが正面上枠２６及び側面上枠３０のガイド溝２６ａ、３０ａに沿って、下係合部７ｂが正面下枠２７及び側面下枠３１のレール２７ａ、３１ａに沿って移動する際に、２枚折戸７は、２枚の障子５の接合部が、４枚折戸８は、ヒンジ５ａにより連結された状態でいずれかの端から１枚目と２枚目の障子５及び３枚目と４枚目の障子５の接合部が、サンルーム１の外側（以下、屋外側という）に向かって突出しつつ折り重なるように折り畳まれて開放される。
【００３２】
サンルーム１において屋根材２０及び折戸ユニット２４、２５が設けられない、屋根材２０の左右端をなし奥行き方向に配置された屋根枠材２２と、側面上横材１７と、外壁縦材１４の上側端部にて囲まれた部位に板材４１が嵌め込まれている。
【００３３】
網材ユニット５０、５４は、正面枠材２９の内側に並設される正面網材ユニット５０と、２つの側面枠材３３の内側にそれぞれ並設される２つの側面網材ユニット５４とである。正面の網材ユニット５０は、並設された折戸ユニット２４が有する２枚折戸７及び４枚折戸８の幅に、展張されたときの幅が合わせられた２つの網材５６を有しており、側面の網材ユニット５４とは、並設された折戸ユニット２５が有する２枚折戸７の幅に、展張されたときの幅が合わせた網材５６を有している。また、正面の網材ユニット５０が有して窓開口２９ａとともに屋内外を連通する正面の枠開口５１ａを形成する並設枠としての正面網枠５１と、側面の網材ユニット５４が有して窓開口３３ａと連通する側面の枠開口５５ｆを形成する並設枠としての側面網枠５５とは幅のみが相違し、２枚折戸７側の網材５６と４枚折戸８側の網材５６とは、各々に設けられた網５７の幅のみが相違している。ここで、サンルーム１の左右に設けられる２つの側面網材ユニット５４は、左右が反転した対称の形状をなしている。
【００３４】
側面網材ユニット５４は、側面枠材３３における屋内側に、枠固定片６０及び補助枠６１を介して取り付けられている。
【００３５】
枠固定片６０は、側面枠材３３において、屋内に臨む面、具体的には側面枠材３３が有する２つの側面縦枠３２の第１内向壁部３２ｅにそれぞれ当接され、上下方向において側面縦枠３２の全域に設けられる板状の当接部６０ａと、当接部６０ａの奥行き方向における両端からそれぞれ内側に向かって突出された突片６０ｂとを有している。この枠固定片６０は、上下方向において適宜間隔を隔てて複数のビスにて側面縦枠３２の第１内向壁部３２ｅに固定される。
【００３６】
補助枠６１は、断面が長方形状をなす中空の枠本体６１ａと、枠本体６１ａの断面において長方形の長辺となる面を形成する２つの部位が枠本体６１ａの一方側に延出され、その先端に枠固定片６０の突片６０ｂと嵌合する嵌合片６１ｂと、を有している。枠本体６１ａの断面において長方形の長手となる面を形成する２つの長辺部６１ｃ、６１ｄのうちの一方の長辺部６１ｃには、表面から内側に向かって凹設されたビス螺合凹溝６１ｅが形成されており、ビス螺合凹溝６１ｅの外側と、他方の長辺部６１ｄとがリブ６１ｆにより連結されている。枠本体６１ａの断面において長方形の短辺側の幅は、正面縦枠２８及び側面縦枠３２が有する縦枠本体２８ａ、３２ａがなす長方形の短辺方向の幅とほぼ同じに形成されている。
【００３７】
補助枠６１は、側面枠材３３の側面縦枠３２に固定された枠固定片６０の突片６０ｂに、嵌合片６１ｂが嵌合されることにより取り付けられる。側面縦枠３２に枠固定片６０を介して取り付けられた補助枠６１は、側面縦枠３２の柱側壁部３２ｂと補助枠６１の柱１２側の長辺部６１ｄとがほぼ直線状に配置され、側面縦枠３２の中央側壁部３２ｆと外壁２側の長辺部６１ｃとがほぼ直線状に配置される。２つの側面縦枠３２に固定された枠固定片６０を介して取り付けられた２つの補助枠６１は、各々に設けられたビス螺合凹溝６１ｅが対向するように配置される。また、２つの側面縦枠３２に取り付けられた２つの補助枠６１の上端部は、側面上横材１７に取り付けられた補助枠６１と接合されている。また、２つの側面縦枠３２に取り付けられた２つの補助枠６１の下端は、下補助枠６２と接合されている。下補助枠６２は、図６に示すように、床材９と正面下横材１５及び側面下横材１６に跨って床材９上に取り付けられ、その上に下網枠５５ｃが固定されている。
【００３８】
側面網材ユニット５４は、三方を囲む補助枠６１及び下補助枠６２に固定される側面網枠５５と、側面網枠５５に案内されて開閉可能に設けられた網材５６と、を有している。
【００３９】
網材５６は、奥行方向に沿って展張可能につづら折りされたシート状の網５７と、網５７の奥行方向における両端に上下方向に沿って網５７が固定される２つの端部縦材５８、５９と、を有している。網材５６が有する２つの端部縦材５８、５９のうち、網５７の外壁２側の端が固定されている壁側端部縦材５８は、側面網枠５５の縦網枠５５ｂに嵌合される嵌合部５８ａを備え、網５７の柱１２側の端が固定されている柱側端部縦材５９は、側面網枠５５に案内されて奥行き方向に移動可能に形成されている。このため、柱側端部縦材５９の下端には、下補助枠６２に固定された後述する下網枠５５ｃに設けられ壁面方向に沿う溝に沿って摺動するスライダー５９ａが設けられている。
【００４０】
側面網枠５５は、側面上横材１７に取り付けられた補助枠６１にビス止めされる上網枠５５ａと、２つの側面縦枠３２に取り付けられた補助枠６１にビス止めされる２つの縦網枠５５ｂと、下補助枠６２にビス止めされる下網枠５５ｃとで矩形状に形成されている。上網枠５５ａは、下方側に開放され網材５６の上端部分が収容されるように断面がほぼコ字状をなす部材であり、網材５６の開閉操作により、網材５６の上端部分が上網枠５５ａに入り込んだ状態で柱側端部縦材５９が上網枠５５ａに案内されつつ移動する。
【００４１】
側面網枠５５の柱側の縦網枠５５ｂは、補助枠６１のビス螺合凹溝６１ｅに螺合されるビスにて固定された状態で内周側に柱側端部縦材５９の先端が入り込むスリット５５ｄが設けられている。側面網枠５５の外壁２側の縦網枠５５ｂは、壁側の補助枠６１のビス螺合凹溝６１ｅに螺合されるビスにて固定された状態で壁側端部縦材５８に設けられた嵌合部５８ａが嵌合される嵌合片５５ｅが内周側に配置されている。側面網枠５５の下網枠５５ｃは、上方側に開放され網材５６の下端部分が収容される下端部収容部５５ｇを有し、下面に、網材５６に設けられ前述したスライダー５９ａが案内され壁面方向に沿う溝５５ｈを備えている。
【００４２】
網材５６の柱側端部縦材５９に設けられた開閉凹部５９ｂに指を掛けて網５７を展張しつつ柱側端部縦材５９を奥行き方向の屋外側に移動して、柱側端部縦材５９を柱１２側の縦網枠５５ｂに当接させることにより網５７にて枠開口５５ｆを覆い、柱側端部縦材５９を奥行き方向の屋内側に移動して枠開口５５ｆを開放する。
【００４３】
側面縦枠３２の中央側壁部３２ｆと外壁２側の長辺部６１ｃとは、ほぼ直線状に配置されているので、網材５６を開いた状態では、柱１２側の縦網枠５５ｂだけが側面縦枠３２に取り付けられた補助枠６１の内周側に突出しており、補助枠６１と２枚折戸７の開閉操作部５ｅとは壁面方向及び奥行き方向にいずれも間隔を隔てて配置されている。このため、網材５６を開いた状態では、開閉操作部５ｅが屋内側に露出され、屋内側において開閉操作部５ｅの周りには、開閉操作する手が入り込む十分な空間が設けられている。
【００４４】
このようにサンルーム１の側面において側面網材ユニット５４は、奥行き方向となる柱１２と外壁２との間のほぼ全域に亘って設けられている。すなわち、側面縦枠３２に取り付けられた柱１２側の補助枠６１は、正面網材ユニット５０の正面枠材２９に近接して設けられている。このため、正面網材ユニット５０は、補助枠６１を左右の側面網材ユニット５４の間に配置されるように、正面枠材２９との間に延出アタッチメント６３を介して取り付けられている。延出アタッチメント６３は、正面縦枠２８の第１内向壁部２８ｈに固定される固定部６３ａと、固定部６３ａより２本の柱１２間の中央側に配置され補助枠６１が嵌合される延出嵌合部６３ｂと、固定部６３ａと延出嵌合部６３ｂとを繋ぐ延出連結部６３ｃと、連結部６３ｃのほぼ中央から屋外側に突出し正面縦枠２８のエアタイト材取付部２８ｊに沿って位置して連結部６３ｃを補強する補強部６３ｄと、を有している。
【００４５】
本実施形態のサンルーム１によれば、側面網材ユニット５４が有する側面網枠５５の柱１２側の端部は、正面網材ユニット５０と正面枠材２９に並設された正面網枠５１との間に配置されるので、側面網枠５５は、正面網枠５１に並設された正面枠材２９との間に正面網枠５１が介在されない。このため、側面網枠５５は、より正面網枠５１に並設された正面枠材２９側に配置され、側面網枠５５に並設された側面枠材３３と重なる部分をより小さくすることが可能である。また、側面網枠５５に設けられた網材５６を開いたときに、側面枠材３３が備える障子５の開閉操作部５ｅが屋内側に露出されるので、側面枠材３３が備える障子５の開閉操作部５ｅを容易に操作することが可能である。すなわち、サンルーム１の屋内側に網材５６を備えつつも開閉操作し易いサンルーム１を提供することが可能である。
【００４６】
また、障子５は窓開口２９ａを開放するように開かれる際に屋外側に突出しつつ折り重なるので、障子５を開く際に障子５が網材５６側に突出しない。このため、網材５６は開閉操作の邪魔にならないので、滑らかに開閉操作することが可能である。
【００４７】
上記実施形態においては、正面と両側面に折戸ユニット２４、２５と網材ユニット５０、５４とが設けられたサンルーム１を例に挙げて説明したが、正面と一方の側面に折戸ユニットと網材ユニットとが設けられたサンルームであっても構わない。
【００４８】
また、上記実施形態においては、障子５が備える面材をガラス製としたが樹脂製であっても構わず、屋根材２０及び折戸ユニット２４、２５が設けられない部位に嵌め込まれる板材４１を樹脂製としたがガラス製であっても構わず、また必ずしも透光性を有していなくとも構わない。
上記実施形態においては、網材５６が備える網５７が折り畳まれている例について説明したが、これに限らずロール状に巻かれた網であっても構わない。
上記実施形態においては、折戸７、８を有する窓ユニットを例に挙げて説明したが、これに限らず、引き違い障子などであっても構わない。
【００４９】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５０】
１  サンルーム、５  障子、５ｅ  開閉操作部、７  ２枚折戸、８  ４枚折戸、
１２  柱、２４  正面の折戸ユニット、２５  側面の折戸ユニット、２９  正面枠材、
２９ａ  窓開口、３３  側面枠材、３３ａ  窓開口、５０  正面網材ユニット、
５１  正面網枠、５１ａ  枠開口、５４  側面網材ユニット、５５  側面網枠、
５５ｂ  縦網枠、５５ｆ  枠開口、５６  網材、
Ｓ  区画された空間
【図１】
2015078570.tif 000003
【図２】
2015078570.tif 000004
【図３】
2015078570.tif 000005
【図４】
2015078570.tif 000006
【図５】
2015078570.tif 000007
【図６】
2015078570.tif 000008
【図７】
2015078570.tif 000009